(57)【要約】【課題】部品点数を少なくでき、製造が容易で、十分な強度を確保することができ、しかもコンパクトな段ボール製コーナーパッドを提供すること。【解決手段】コーナーパッド１は、１枚の段ボール４を用いて形成されており、底面５ならびに第１および第２の側面６，７のそれぞれが３層構造となっている。底面５に形成された凹部３７および第１の側面６に形成された凸部３８によって第１の結合手段３５が構成されている。第１の側面６に形成された凹部４３および底面５に形成された凸部４４によって第２の結合手段３６が構成されている。また、第２の側面７は、Ｕ字状に形成されてＵ字の一端が底面５のベース片８の１辺に接続された第２の接続片２９と、第１の側面６から延設されて第２の接続片２９間に挿入された挿入片３０とを含んでいる。【選択図】図２
2007118996.tif 000002
【特許請求の範囲】
【請求項１】
１枚の段ボールを３層に重ね合わせて形成されて製品の底面を受ける底面と、
上記段ボールを３層に重ね合わせて形成されて上記底面に直交し、製品の第１の側面を受ける第１の側面と、
上記段ボールを３層に重ね合わせて形成されて上記底面および第１の側面の双方に直交し、製品の第２の側面を受ける第２の側面と、
を有していることを特徴とする段ボール製コーナーパッド。
【請求項２】
上記底面は、矩形のベース片と、ベース片の１辺から延設されて当該ベース片に重ね合わされた延設片とを含み、
上記第１の側面は、上記ベース片の別の１辺に接続された矩形の接続片と、接続片の１辺から延設されて当該接続片に重ね合わされた延設片とを含み、
上記底面の延設片および第１の側面の延設片の何れか一方に形成された凹部、および他方に形成され上記凹部に嵌められた凸部を含み、底面の延設片および第１の側面の延設片を互いに結合する結合手段をさらに有していることを特徴とする請求項１記載の段ボール製コーナーパッド。
【請求項３】
上記底面は、矩形のベース片を含み、
上記第２の側面は、Ｕ字状に形成されてＵ字の一端がベース片の１辺に接続された接続片と、第１の側面の何れか１層から延設されて接続片間に挿入された挿入片とを含んでいることを特徴とする請求項１記載の段ボール製コーナーパッド。
【発明の詳細な説明】
【技術分野】
【０００１】
この発明は、段ボール製コーナーパッドに関する。
【背景技術】
【０００２】
製品を梱包箱の中に収容する際、製品の底の四隅にコーナーパッドを取り付けて、製品を衝撃などから保護することがある。コーナーパッドは、たとえば、段ボールにより形成され、製品の底面を受ける底板と、製品の隣り合う２つの側面を受ける一対の側板とを有している（たとえば、特許文献１〜５参照）。
【特許文献１】特開２０００−１６８８４２号公報
【特許文献２】特開平１１−２９１７７号公報
【特許文献３】特開平８−１６９４６３号公報
【特許文献４】特開平１０−１５２１７２号公報
【特許文献５】特開２００３−３４１７４３号公報
【発明の開示】
【発明が解決しようとする課題】
【０００３】
特許文献１では、底板および各側板のそれぞれが、複数枚の段ボールを接着剤で重ね合わせて構成されているため、多数の段ボール片が必要となり、部品点数が多くなってしまう。また、接着剤を塗布して段ボール同士を張り合わる作業を複数回行う必要があり、製造に手間がかかる。
特許文献２では、製品の底面や側面を受ける部分の肉厚が段ボール１枚分しかなく、強度を確保し難い。特許文献３，４では、側板の肉厚が段ボール２枚分しかなく、側板の強度を確保し難い。特許文献５では、底板および各側板の肉厚が、段ボール４枚分もあり、コーナーパッドが大型化してしまう。
【０００４】
この発明は、かかる背景のもとでなされたもので、部品点数の少ない段ボール製コーナーパッドを提供することを目的とする。
この発明の別の目的は、製造の容易な段ボール製コーナーパッドを提供することにある。
この発明のさらに別の目的は、十分な強度を確保することのできる段ボール製コーナーパッドを提供することにある。
【０００５】
この発明のさらに別の目的は、コンパクトな段ボール製コーナパッドを提供することにある。
【課題を解決するための手段】
【０００６】
上記の目的を達成するための請求項１記載の発明は、１枚の段ボール（４）を３層に重ね合わせて形成されて製品（２）の底面（２ａ）を受ける底面（５）と、上記段ボール（４）を３層に重ね合わせて形成されて上記底面（５）に直交し、製品（２）の第１の側面を受ける第１の側面（６）と、上記段ボール（４）を３層に重ね合わせて形成されて上記底面（５）および第１の側面（６）の双方に直交し、製品（２）の第２の側面を受ける第２の側面（７）と、を有していることを特徴とする段ボール製コーナーパッド（１；４５）である。
【０００７】
なお、括弧内の英数字は、後述の実施形態における対応構成要素などを表す。以下、この項において同じ。
この構成によれば、１枚の段ボールでコーナーパッド形成しているので、部品点数が少ない。また、１枚の段ボールを折りたたんで重ね合わせることにより、底面ならびに第１および第２の側面を形成している。これにより、底面ならびに第１および第２の側面の形成に際して、別体の段ボール片同士を接着剤で張り合わせるという面倒な工程が必要なく、コーナーパッドの製造を容易にできる。さらに、底面ならびに第１および第２の側面のそれぞれを３層構造にしていることにより、これら底面ならびに第１および第２の側面の強度を十分に高くできる。したがって、コーナーパッドの強度を十分に確保できる。また、底面ならびに第１および第２の側面のそれぞれの厚みを段ボール３枚分に抑えることにより、コーナーパッドをコンパクトにできる。
【０００８】
請求項２記載の発明は、上記底面（５）は、矩形のベース片（８）と、ベース片（８）の１辺（９）から延設されて当該ベース片（８）に重ね合わされた延設片（１０）とを含み、上記第１の側面（６）は、上記ベース片（８）の別の１辺（２１）に接続された矩形の接続片（１８）と、接続片（１８）の１辺（１９）から延設されて当該接続片（１８）に重ね合わされた延設片（２０）とを含み、上記底面（５）の延設片（１０）および第１の側面（６）の延設片（２０）の何れか一方に形成された凹部（３７，４３）、および他方に形成され上記凹部（３７，４３）に嵌められた凸部（３８，４４）を含み、底面（５）の延設片（１０）および第１の側面（６）の延設片（２０）を互いに結合する結合手段（３５，３６）をさらに有していることを特徴とする請求項１記載の段ボール製コーナーパッド（１；４５）である。
【０００９】
この構成によれば、凸部と凹部との係合により、底面の延設片と、第１の側面の延設片が互いに押さえ合って互いの形状を維持することができる。底面および第１の側面が型崩れしてしまうことを防止できる。
請求項３記載の発明は、上記底面（５）は、矩形のベース片（８）を含み、上記第２の側面（７）は、Ｕ字状に形成されてＵ字の一端がベース片（８）の１辺（３２）に接続された接続片（２９）と、第１の側面（６）の何れか１層（１８）から延設されて接続片（２９）間に挿入された挿入片（３０）とを含んでいることを特徴とする請求項１記載の段ボール製コーナーパッド（１；４５）である。
【００１０】
この構成によれば、第１の側面から延設された挿入片をＵ字の接続片間に挟むことにより、第１の側面と第２の側面との結合を強固なものにすることができ、段ボール製コーナーパッドの強度をより高めることができる。たとえば、第１および第２の側面に強い衝撃を受けても、第１および第２の側面の形状を維持することができる。
【発明を実施するための最良の形態】
【００１１】
以下には、図面を参照して、この発明の実施形態について具体的に説明する。
図１は、この発明の一実施形態にかかる段ボール製コーナーパッドを製品に取り付けた状態を示す斜視図である。図１を参照して、段ボール製コーナーパッド１（以下、単にコーナーパッド１という）は、略直方体状の製品２の底部の四隅のそれぞれに取り付けられて、製品２が収容される段ボール製の梱包箱３の底部の四隅のそれぞれに配置されるようになっている。
【００１２】
図２は、コーナーパッド１の斜視図である。図３は、コーナーパッド１の展開図である。なお、以下では、コーナーパッド１について、組み立てられた状態を基準に説明する。図１および図２を参照して、コーナーパッド１は、１枚の段ボール４を複数箇所折り曲げて形成されたものであり、製品２の底面２ａを受ける矩形状の底面５と、底面５に直交し製品２の一側面（第１の側面）を受ける矩形状の第１の側面６と、底面５および第１の側面６の双方に直交し、製品２の上記一側面に隣接する別の一側面（第２の側面）を受ける矩形状の第２の側面７と、を有している。段ボール４の厚みは、たとえば８ｍｍ程度である。
【００１３】
図２および図３を参照して、底面５は、段ボール４の一部を３層に重ね合わせて形成されており、矩形のベース片８と、ベース片８の１辺９から延設されて当該ベース片８に上に重ね合わされた延設片１０とを有している。
延設片１０は、第１の部分１１と、第２の部分１２とを含んでいる。
第１の部分１１は、略矩形に形成されている。第１の部分１０の１辺がベース片８の１辺９に連なっており、第１の部分１１は、折目線１３，１４で折り曲げられている。第１の部分１１によって、製品２の底面２ａ（図１参照）が受けられる。
【００１４】
第２の部分１２は、略矩形に形成されて、第１の部分１１の１辺１５に連なっている。第２の部分１２は、折目線１６，１７で折り曲げられており、第１の部分１１とベース片８との間に挟まれている。
第１の側面６は、段ボール４の一部を３層に重ね合わせて形成されており、矩形の第１の接続片１８と、第１の接続片１８の１辺１９から延設されて当該第１の接続片１８上に重ね合わされた第１の延設片２０とを有している。
【００１５】
第１の接続片１８は、底面５のベース片８よりも小さい矩形に形成されている。第１の接続片１８の１辺が、ベース片８の１辺２１に連なっている。第１の接続片１８は、ベース片８に対して直交している。
第１の延設片２０は、第１の部分２２と、第２の部分２３とを含んでいる。
第１の部分２２は、略矩形に形成されている。第１の部分２２の１辺が第１の接続片１８の１辺１９に連なっており、第１の部分２２は、折目線２４，２５で折り曲げられている。第１の部分２２によって、製品２の上記第１の側面（図１参照）が受けられる。
【００１６】
第２の部分２３は、略矩形に形成されて、第１の部分２２の１辺２６に連なっている。第２の部分２３は、折目線２７，２８で折り曲げられており、第１の部分２２と第１の接続片１８との間に挟まれている。
第２の側面７は、段ボール４の一部を３層に重ね合わせて形成されて、底面５および第１の側面６の双方に直交しており、製品２の上記第２の側面を受けている。第２の側面７は、Ｕ字状に形成された第２の接続片２９と、第２の接続片２９間に挿入された挿入片３０とを含んでいる。
【００１７】
第２の接続片２９は、Ｕ字の一端部３１がベース片８の１辺３２に接続されており、Ｕ字の他端部３３がベース片８上に位置している。第２の接続片２９の他端部３３側の内表面５０は、底面５の延設片１０および第１の延設片２０に受けられている。これにより、第２の接続片２９の他端部３３が底面５から浮き上がることを防止して、Ｕ字の形状が維持されている。
【００１８】
挿入片３０は、第１の側面６の第１の接続片１８（第１の側面６の３層のうちの一層）の１辺３４から延設されて矩形をしており、第２の接続片２９間に挿入されている。
底面５の延設片１０と、第１の延設片２０とは、第１および第２の結合手段３５，３６によって互いに結合されている。
第１の結合手段３５は、底面５の延設片１０に形成された凹部３７と、第１の延設片２０に形成され上記凹部３７に嵌められた凸部３８とを有している。凹部３７は、延設片１０の第１および第２の部分１１，１２のうち、第１の側面６に対向する１辺３９，４０の一部を切り欠いて形成されている。凸部３８は、第１の延設片２０の第１および第２の部分２２，２３のうち、底面５を向く１辺４１，４２の一部を底面５側に突出して形成されている。
【００１９】
第２の結合手段３６は、第１の延設片２０に形成された凹部４３と、底面５の延設片１０に形成され上記凹部４３に嵌められた凸部４４とを有している。凹部４３は、第１の延設片２０の第１および第２の部分２２，２３のうち、底面５に対向する１辺４１，４２の一部を切り欠いて形成されている。凸部４４は、第１の側面６の延設片１０の第１および第２の部分１１，１２のうち、第１の側面６を向く１辺３９，４０の一部を第１の側面６側に突出して形成されている。
【００２０】
以上の概略構成を有するコーナーパッド１は、以下のようにして製造される。まず、１枚の段ボールにプレス加工を施すことなどにより、図３に示す１枚の段ボール４を形成する。
次に、図４に示すように、底面５の延設片１０の第１の部分１１と第２の部分１２とを重ね合わせるとともに、第１の延設片２０の第１の部分２２と第２の部分２３とを重ね合わせる。次に、第２の側面７の挿入片３０を、第１の接続片１８に対して垂直に立てる。
【００２１】
挿入片３０を第１の接続片１８に対して立てた状態で、図５に示すように、第１の接続片１８を底面５のベース片８に対して垂直になるように立て、この状態で第２の接続片２９をベース片８に対して起こしてＵ字にし、第２の接続片２９間に挿入片３０を挿入する。
次に、図６に示すように、底面５の延設片１０をベース片８上に載せる。その後、第１の延設片２０を第１の接続片１８に沿わせる。これにより、図２に示すように、第１の結合手段３５の凹部３７に凸部３８が嵌まるとともに、第２の結合手段３６の凹部４３に凸部４４が嵌まり、コーナーパッド１が完成する。
【００２２】
以上説明したように、この実施形態によれば、以下の作用効果を奏することができる。すなわち、１枚の段ボール４でコーナーパッド１を形成しているので、部品点数が少ない。また、１枚の段ボール４を折りたたんで重ね合わせることにより、底面５ならびに第１および第２の側面６，７を形成している。これにより、底面５ならびに第１および第２の側面６，７の形成に際して、別体の段ボール片同士を接着剤で張り合わせるという面倒な工程が必要なく、コーナーパッド１の製造を容易かつコスト安価にできる。
【００２３】
さらに、底面５ならびに第１および第２の側面６，７のそれぞれを３層構造にしていることにより、これら底面５ならびに第１および第２の側面６，７の強度を十分に高くできる。したがって、コーナーパッド１の強度を十分に確保できる。また、底面５ならびに第１および第２の側面６，７のそれぞれの厚みを段ボール３枚分に抑えることにより、コーナーパッド１をコンパクトにできる。
【００２４】
また、第１および第２の結合手段３５，３６の各凸部３８，４４と対応する凹部３７，４３との係合により、底面５の延設片１０と、第１の側面６の第１の延設片２０が互いに押さえ合って互いの形状を維持することができる。底面５および第１の側面６が型崩れしてしまうことを防止できる。
さらに、第２の側面７は、Ｕ字状に形成された第２の接続片２９と、第１の側面６の第１の接続片１８から延設されて第２の接続片２９間に挿入された挿入片３０とを含んでいる。このように、第１の側面６から延設された挿入片３０をＵ字の第２の接続片２９間に挟むことにより、第１の側面６と第２の側面７との結合を強固なものにすることができる。したがって、コーナーパッド１の強度をより高めることができる。第１および第２の側面６，７に強い衝撃を受けても、第１および第２の側面６，７の形状を維持することができる。
【００２５】
また、コーナーパッド１を段ボールで形成しているので、コーナーパッド１のリサイクルが容易である。さらに、底面５ならびに第１および第２の側面６，７のそれぞれを３層にすることで、十分な緩衝効果を発揮でき、緩衝材として優れた効果を発揮できる。また、コーナーパッド１内に中空の部分がほとんどないので、衝撃を受けたときのコーナーパッド１の変形がどのようなものになるか予測し易く、大きな衝撃を受けたときのコーナーパッド１の変形を所望の変形にすることができる。
【００２６】
この発明は、以上の実施形態の内容に限定されるものではなく、請求項記載の範囲内において種々の変更が可能である。たとえば、底面５で製品２の第１の側面を受けてもよいし、製品２の第２の側面を受けてもよい。また、第１の側面６で製品２の底面２ａを受けてもよいし、製品２の第２の側面を受けてもよい。さらに、第２の側面７で製品２の底面２ａを受けてもよいし、製品２の第１の側面を受けてもよい。
【００２７】
また、図７および図８に示すコーナーパッド４５を用いてもよい。このコーナーパッド４５は、上記コーナーパッド１を左右対称に２つ並べて、各コーナーパッド１，１のベース片８，８同士を矩形状の第１の連結片４６で連結するとともに、各コーナーパッド１，１の第１の側面６，６の第１の接続片１８，１８同士を矩形状の第２の連結片４７で連結した形状を有しており、１枚の段ボールによって形成されている。第１のおよび第２の連結片４６，４７は、折目線４８を介して互いに直交している。
【００２８】
この場合、製品２の底部の２つの角隅を１つのコーナーパッド４５で受けることができる。また、第１および第２の連結片４６，４７の長さを変更するという簡易な変更で、コーナーパッド４５の全長を容易に変更することができる。
【図面の簡単な説明】
【００２９】
【図１】この発明の一実施形態にかかる段ボール製コーナーパッドを製品に取り付けた状態を示す斜視図である。
【図２】コーナーパッドの斜視図である。
【図３】コーナーパッドの展開図である。
【図４】コーナーパッドの組み立てについて説明するための斜視図である。
【図５】コーナーパッドの組み立てについて説明するための斜視図である。
【図６】コーナーパッドの組み立てについて説明するための斜視図である。
【図７】この発明の別の実施形態の斜視図である。
【図８】図７のコーナーパッドの展開図である。
【符号の説明】
【００３０】
１，４５  コーナーパッド
２  製品
２ａ  （製品の）底面
４  段ボール
５  底面
６  第１の側面
７  第２の側面
８  ベース片
９，１９，２１，３２  １辺
１０  延設片（底面の延設片）
１８  第１の接続片（第１の側面の接続片）
２０  第１の延設片（第１の側面の延設片）
２９  第２の接続片（第２の側面の接続片）
３０  挿入片
３１  （第２の接続片の）一端部（Ｕ字の一端）
３５，３６  結合手段
３７，４３  凹部
３８，４４  凸部
【図１】
2007118996.tif 000003
【図３】
2007118996.tif 000004
【図８】
2007118996.tif 000005
【図２】
2007118996.tif 000006
【図４】
2007118996.tif 000007
【図５】
2007118996.tif 000008
【図６】
2007118996.tif 000009
【図７】
2007118996.tif 000010